(57)【要約】【課題】  レバーが端子完全嵌合状態まで予め回転していてもハウジングホルダを相手側端子ホルダに挿入するだけで端子嵌合作業を可能とするレバー式低嵌合コネクタを提供する。【解決手段】  端子を並列状態で収容保持するハウジングを複数個収容するハウジングホルダ１１０と、ハウジングホルダを挿入可能な相手側端子ホルダ１２０とを有し、ハウジングホルダがレバー１５０を第１の回転位置と第２の回転位置との間で回転可能に備え、レバーには端子嵌合用係合部１５５を備えるとともに相手側端子ホルダにはレバーの端子完全嵌合用係合部と係合するレバー係合部１２５が備わり、レバーが第２の回転位置のままハウジングホルダが相手側端子ホルダに挿入された場合にレバーを第１の回転位置まで戻すとともに端子仮嵌合状態までハウジングホルダを挿入可能とするレバー戻し部１２５ａ，１５７が備わっている。【選択図】  図１４
2007066816.tif 000002
【特許請求の範囲】
【請求項１】
複数の端子を収容保持するハウジングと、
前記ハウジングを収容するハウジングホルダと、
前記端子と嵌合する相手側端子を備え、前記ハウジングホルダを挿入可能な相手側端子ホルダとを有し、
前記ハウジングホルダが端子低嵌合用のレバーを第１の回転位置と第２の回転位置との間で回転可能に備え、
前記レバーには端子完全嵌合用係合部を備えるとともに前記相手側端子ホルダには前記レバーの端子完全嵌合用係合部と係合するレバー係合部が備わり、
前記レバーが第１の回転位置において前記ハウジングホルダを相手側端子ホルダに挿入して端子同士を仮嵌合状態に導くともに、
前記端子同士が仮嵌合状態において前記レバーを第２の位置に回転させることで当該レバーの端子完全嵌合用係合部が前記相手側端子ホルダのレバー係合部と係合しながら前記ハウジングホルダを相手側端子ホルダに引き込むことによって端子完全嵌合を可能としたレバー式低嵌合コネクタであって、
前記レバーが第２の回転位置のままハウジングホルダが相手側端子ホルダに挿入された場合に当該レバーを第１の回転位置まで戻すとともに端子仮嵌合状態までハウジングホルダを挿入可能とするレバー戻し部が当該レバーと相手側端子ホルダに備わっていること特徴とするレバー式低嵌合コネクタ。
【発明の詳細な説明】
【技術分野】
【０００１】
本発明は例えば自動車の内部に配索された各種電装部品間接続用ワイヤーハーネスの分岐接続に好適に利用可能なレバー式低嵌合コネクタに関する。
【背景技術】
【０００２】
自動車の内部に配索された各種電装部品間接続用ワイヤーハーネスの分岐接続に好適に利用可能なレバー式低嵌合コネクタは従来から知られている（例えば、特許文献１乃至特許文献３参照）。かかるレバー式低嵌合コネクタの使い勝手をより向上させたものとして、図１８乃至図２０に示すレバー式低嵌合コネクタが本出願人により提案されている。かかるレバー式低嵌合コネクタ２は、複数の端子を並列状態で収容保持するハウジング（図示せず）と、ハウジングを複数個まとめて収容するハウジングホルダ２１０と、端子と嵌合する相手側端子を複数備え、ハウジングホルダ２１０を挿入可能な相手側端子ホルダとしてのオスコネクタ２２０を有している。
【０００３】
また、ハウジングホルダ２１０は端子低嵌合用のレバー２５０を端子仮嵌合状態である第１の回転位置と端子完全嵌合状態である図１８に示す第２の回転位置との間で回転可能に備えている。また、ハウジングホルダ２１０はレバー２５０を第１の回転位置（図示せず）で保持するレバー係合部２１５を備えている。
【０００４】
また、レバー２５０は端子同士を完全嵌合に導く端子嵌合用係合部２５５を備えるとともに、第１の回転位置のままハウジングホルダ２１０をオスコネクタ２２０に挿入することで端子同士を仮嵌合状態に導くようになっている。オスコネクタ２２０にはレバー２５０の端子嵌合用係合部２５５と係合するレバー係合部２２５が備わり、端子同士が仮嵌合状態においてレバー２５０を第２の位置に回転させることで当該レバー２５０の端子嵌合用係合部２５５がオスコネクタ２２０のレバー係合部２２５と係合したままテコの原理を利用しながらハウジングホルダ２１０をオスコネクタ２２０に引き込むことによって小さなレバー操作力を介して端子完全嵌合を可能としている。
【特許文献１】特開平６−３３３６３７号公報（第３−４頁、図１）
【特許文献２】特開平１０−８３８５９号公報（第３−４頁、図１）
【特許文献３】特開平５−１２９０４８号公報（第３−４頁、図１）
【発明の開示】
【発明が解決しようとする課題】
【０００５】
上述した図１８乃至図２０に示すレバー式低嵌合コネクタ２は、端子の収容されたハウジングをハウジングホルダ２１０に収容した後に、作業者がハウジングの端子に接続されたワイヤハーネス（図示せず）を振り回したりすると、レバー２５０やハウジングホルダ２１０のレバー係合部２１５が他のハウジングホルダにぶつかってこの衝撃により、ハウジングホルダ２１０をオスコネクタ２２０に挿入する前にレバー２５０を端子完全嵌合状態である図１８に示す第２の回転位置まで回転させてしまうことがある。このような状態でハウジングホルダ２１０をオスコネクタ２２０に挿入して端子嵌合作業を行おうとしても、図１８から図１９に至るまでにレバー２５０の底部２５１がオスコネクタ２２０のレバー係合部２２５と干渉し、ハウジングホルダ２１０がオスコネクタ内でそれ以上端子嵌合方向に移動できなくなる（図１９及びこれを拡大して示す図２０参照）。そのため、このような場合は、一度オスコネクタ２２０からハウジングホルダ２１０を引き出してレバー２５０を嵌合前の初期状態である第１の回転位置まで戻して再びハウジングホルダ２１０をオスコネクタ２２０に挿入することで端子嵌合作業をやり直さなければならない。このような作業を行うと、コネクタ組み付けラインを一時停止しなければならずコネクタ組み付け作業性を低下させる。
【０００６】
本発明の目的は、レバーが端子完全嵌合状態の回転位置まで予め回転してしまっていてもハウジングホルダを相手側端子ホルダに挿入するだけで端子嵌合作業を可能とするコネクタ組み付け作業性に優れたレバー式低嵌合コネクタを提供することにある。
【課題を解決するための手段】
【０００７】
上記目的を達成するために、本発明にかかるレバー式低嵌合コネクタは、
複数の端子を収容保持するハウジングと、
前記ハウジングを収容するハウジングホルダと、
前記端子と嵌合する相手側端子を備え、前記ハウジングホルダを挿入可能な相手側端子ホルダとを有し、
前記ハウジングホルダが端子低嵌合用のレバーを第１の回転位置と第２の回転位置との間で回転可能に備え、
前記レバーには端子完全嵌合用係合部を備えるとともに前記相手側端子ホルダには前記レバーの端子完全嵌合用係合部と係合するレバー係合部が備わり、
前記レバーが第１の回転位置において前記ハウジングホルダを相手側端子ホルダに挿入して端子同士を仮嵌合状態に導くともに、
前記端子同士が仮嵌合状態において前記レバーを第２の位置に回転させることで当該レバーの端子完全嵌合用係合部が前記相手側端子ホルダのレバー係合部と係合しながら前記ハウジングホルダを相手側端子ホルダに引き込むことによって端子完全嵌合を可能としたレバー式低嵌合コネクタであって、
前記レバーが第２の回転位置のままハウジングホルダが相手側端子ホルダに挿入された場合に当該レバーを第１の回転位置まで戻すとともに端子仮嵌合状態までハウジングホルダを挿入可能とするレバー戻し部が当該レバーと相手側端子ホルダに備わっていること特徴としている。
【０００８】
レバーが端子完全嵌合状態である第２の回転位置まで予め回転してしまっていても、ハウジングホルダを相手側端子ホルダに挿入することにより、レバーと相手側端子ホルダに備わったレバー戻し部がレバーを第２の回転位置から初期状態である第１の回転位置まで回転させるとともにハウジングホルダを相手側端子ホルダに対して端子仮嵌合状態まで挿入可能とするので、ハウジングホルダを相手側端子ホルダからわざわざ外す必要なく、レバーを第２の回転位置まで再び回転させて端子完全嵌合作業ができるようになる。
【発明の効果】
【０００９】
本発明によると、レバーが端子完全嵌合状態の回転位置まで予め回転してしまっていてもハウジングホルダを相手側端子ホルダに挿入するだけで端子嵌合作業を可能とするコネクタ組み付け作業性に優れたレバー式低嵌合コネクタを提供することができる。
【発明を実施するための最良の形態】
【００１０】
以下、本発明の一実施形態に係るレバー式低嵌合コネクタについて図面に基づいて詳細に説明する。本発明の一実施形態に係るレバー式低嵌合コネクタ１は、図１乃至図５に示すように、複数の端子を並列状態で収容保持するハウジング（図示せず）と、ハウジングを複数個まとめて収容するハウジングホルダ１１０と、ハウジングに収容された端子と嵌合する相手側端子を複数備え、ハウジングホルダ１１０を挿入可能なオスコネクタ（相手側端子ホルダ）１２０（図４参照）とを有している。そして、ハウジングホルダ１１０は端子低嵌合用のレバー１５０を第１の回転位置と第２の回転位置との間で回転可能に備えている。また、レバー１５０は端子同士を完全嵌合させる端子嵌合用係合部１５５を備えるとともに、図１５において特定される第１の回転位置においてハウジングホルダ１１０をオスコネクタ１２０に挿入して端子同士を仮嵌合状態に導くようになっている。また、オスコネクタ１２０にはレバー１５０の端子嵌合用係合部１５５と係合するレバー係合部１２５（図４乃至図６参照）が備わり、端子同士が仮嵌合状態においてレバー１５０を図６で特定される第２の回転位置まで回転させることで当該レバー１５０の端子嵌合用係合部１５５がオスコネクタ１２０のレバー係合部１２５と係合しながらハウジングホルダ１１０をオスコネクタ１２０に引き込むようになっている。これによって端子完全嵌合を可能としている。
【００１１】
また、レバー１５０が第２の回転位置のままハウジングホルダ１１０がオスコネクタ１２０に挿入された場合に当該レバー１５０を第１の回転位置まで戻すとともに端子仮嵌合状態までハウジングホルダ１１０を挿入可能とするレバー戻し部としてのレバー係合部の上端角部１２５ａ及びレバー戻し用滑り部１５７をオスコネクタ１２０とレバー１５０にそれぞれ備わっている。
【００１２】
以下、これらの構成要素を詳細に説明する。図１に示すハウジングホルダ１１０は例えばＰＢＴ（ポリブチレンテレフタレート）などの樹脂でできており、メス端子を並列状態で収容する例えばＰＢＴなどの樹脂でできた単層のコネクタハウジングを収容可能な第１の単層コネクタハウジング収容部１１０ａ及び第２の単層コネクタハウジング収容部１１０ｂを備えるとともに、これらの収容部１１０ａ，１１０ｂに隣接してメス端子を並列状態で収容する例えばＰＢＴなどの樹脂製の積層コネクタハウジングを収容可能な積層コネクタハウジング収容部１１０ｃを備えている。また、ハウジングホルダ１１０の幅方向に並列形成された第１の単層コネクタハウジング収容部間は所定の厚さを有するレバー収容用壁部１１０ｄで仕切られ、このレバー収容用壁部１１０ｄの内部に例えばＰＢＴなどの樹脂でできた端子低嵌合用のレバー１５０が所定の角度範囲で回転可能に収容されている。
【００１３】
レバー収容用壁部１１０ｄは、図２に示すように、その内壁にレバー回転軸１１５が形成され、レバー１５０がこのレバー回転軸１１５を中心として回転可能となっている。また、レバー収容用壁部１１０ｄの内壁側には、図２及び図３に示すように、その長手方向端部に片持ち梁状であってレバー１５０を第１の回転位置又は第２の回転位置で選択的に保持するレバー保持用突起部１１２が自由端部に形成されたレバー保持用爪１１１を備えている。また、このレバー保持用爪１１１の基端部側にはレバー保持用爪１１１とレバー１５０との係合を解除する端面視山型のレバー保持解除用凸部１１３が形成されている。なお、レバー保持用爪１１１のレバー保持用突起部１１２はレバー操作中においてはレバー保持解除用凸部１１３に後述するオスコネクタ１２０のレバー係合部１２５が押し付けられてレバー保持用爪自体が撓むことでレバー１５０と干渉しなくなり、レバー１５０の回転を阻害しないようになっている。
【００１４】
レバー１５０は異型略Ｌ字型のレバー本体１５１と、このレバー本体１５１の先端部に備わりレバー１５０を操作するのに十分な大きさを備えたレバー操作部１５２を有している。また、レバー１５０の基端部近傍にはレバー１５０をハウジングホルダ１１０の回転支点回りに回転させる回転中心孔１５３が形成されている。また、レバー１５０の基端部側方にはオスコネクタ１２０のレバー係合部１２５と係合して端子同士を完全嵌合状態に導く矩形切り欠き状の端子嵌合用係合部１５５が形成されている。また、端子嵌合用係合部１５５の上部の突出部１５６はハウジングホルダ１１０のレバー保持用爪１１１のレバー保持用突起部１１２と係合してレバー１５０を第２の回転位置に保つ役目を果たしている。
【００１５】
また、レバー１５０の底部には輪郭及び図面が所定の曲率で湾曲したレバー戻し用滑り部１５７が形成されている。このレバー戻し用滑り部１５７は周面が円弧状をなして滑らかに形成されており、オスコネクタ１２０のレバー係合部１２５の上端角部１２５ａと点接触するようになっている（図９参照）。なお、このレバー戻し用滑り部１５７はレバー１５０が誤って端子完全嵌合状態の位置まで回転したままハウジングホルダ１１０をオスコネクタ１２０に挿入したとき、オスコネクタ１２０のレバー係合部１２５の上端角部１２５ａと協働してレバー１５０を図２及び図１４に示す第１の回転位置（初期位置）まで戻す役目を果たしている。すなわち、レバー戻し用滑り部１５７とレバー係合部１２５の上端角部１２５ａとでレバー戻し部を構成している。
【００１６】
図４に示すオスコネクタ１２０は、例えばＰＢＴ等の樹脂や耐熱性に優れた樹脂等でできており細長い箱型形状を有し、内部に２つのハウジングホルダ収容部１２１，１２２を備えて２つのハウジングホルダ１１０を長手方向に並べて挿入収容可能となっている。ハウジングホルダ収容部１２１にはハウジングホルダ誤挿入防止リブ１２３が長手方向中央部近傍において幅方向全体に備わっている。そして、ハウジングホルダ誤挿入防止リブ１２３の上端部には長手方向外側に向かって突出部が形成されておりこの部分がレバー係合部１２５を構成している。
【００１７】
オスコネクタ１２０には図示しないオス端子がその内側底部に複数突出形成されており、このオス端子は図示しない基板や電線に接続されている。
【００１８】
このような構成のレバー式低嵌合コネクタ１によると以下のような作用を発揮する。以下にこの作用をハウジングホルダ１１０に何らかの外力が加わりレバー１５０が図６に示す第２の回転位置まで回転してしまったハウジングホルダ１１０をオスコネクタ１２０に挿入する過程とともに説明する。
【００１９】
なお、図６乃至図１７は説明の簡略化と理解の容易化のためにオスコネクタ１２０の一方のハウジングホルダ収容部１２１にハウジングホルダ１１０を挿入する過程を断面で示している。図６はレバー１５０が第２の回転位置まで回転したままのハウジングホルダ１１０を示した図である。この状態からハウジングホルダ１１０をオスコネクタ１２０のハウジングホルダ収容部１２１に挿入すると、図７に示す状態に至る。
【００２０】
図７は図６に示すレバー式低嵌合コネクタ１のハウジングホルダ１１０をオスコネクタ１２０に更に挿入した状態を示す断面図である。また、図８は図７の一部を拡大した断面図である。図７及び図８から分かるように、レバー戻し用滑り部１５７がオスコネクタ１２０のレバー係合部１２５の上端角部１２５ａにぶつかっている。レバー戻し用滑り部１５７の周面は、図９に示すように、滑らかな円弧状になっているので、この状態ではレバー係合部１２５の上端角部１２５ａはレバー戻し用滑り部１５７の周面の一箇所に点接触している。
【００２１】
次いで、ハウジングホルダ１１０をオスコネクタ１２０のハウジングホルダ収容部１２２に更に押し込む。図１０は図７に示すレバー式低嵌合コネクタ１のハウジングホルダ１１０をオスコネクタ１２０に更に挿入することでレバー１５０が初期状態である第１の回転位置に向かって回転を開始した状態を示す断面図である。この段階でオスコネクタ１２０のレバー係合部１２５がレバー保持解除用凸部１１３（図２参照）に押し付けられることで、ハウジングホルダ１１０のレバー係合用爪１１１は全体的に撓んでハウジングホルダ１１０の係合用爪１１１のレバー１５０に対する係合が解除され、レバー１５０が回転可能な状態に至っている。
【００２２】
図１０から分かるように、レバー係合部１２５の上端角部１２５ａが点接触した状態でレバー戻し用滑り部１５７に押し付けられていくことで、レバー戻し用滑り部１５７はレバー係合部１２５の上端角部１２５ａから互いの接触位置を変えることでレバー回転軸１１５を中心として図中反時計方向に回転しながら逃げている。ここで、図１１は図１０の一部を拡大した断面図である。なお、レバー戻し用滑り部１５７の周面は幅方向で見て表面が滑らかな円弧状に形成されているので、このような接触点が移動するにあたって滑らかに移動するようになっており、結果的にハウジングホルダ１１０のオスコネクタ１２０への押し込み動作に対応してレバー１５０がレバー回転軸１１５を中心として反時計方向に滑らかに回転するようになっている。
【００２３】
次いで、ハウジングホルダ１１０をオスコネクタ１２０のハウジングホルダ収容部１２２に更に押し込む。図１２は図１０に示すレバー式低嵌合コネクタ１のハウジングホルダ１１０をオスコネクタ１２０に更に挿入することでレバー１５０が初期状態である第１の回転位置に向かって更に回転した状態を示す断面図である。図１２から分かるようにレバー１５０はレバー回転軸１１５を中心として更に反時計方向に回転することで、端子嵌合用係合部１５５がオスコネクタ１２０のレバー係合部１２５に接近している。なお、図１３は図１２の一部を拡大した断面図である。
【００２４】
次いで、ハウジングホルダ１１０をオスコネクタ１２０のハウジングホルダ収容部１２２に更に押し込む。図１４は図１２に示すレバー式低嵌合コネクタ１のハウジングホルダ１１０をオスコネクタ１２０に更に挿入することでレバー１５０の端子嵌合用係合部１５５がオスコネクタ１２０のレバー係合部１２５に係合した状態を示す断面図である。なお、図１５は図１４の二点鎖線で示す円の部分を拡大した断面図である。図１４及び図１５から分かるように、レバー１５０の端子嵌合用係合部１５５はオスコネクタ１２０のレバー係合部１２５にしっかりと係合している。
【００２５】
図１６はハウジングホルダ１１０をオスコネクタ１２０に挿入するこれまでの過程とレバー戻し用滑り部１５７がオスコネクタ１２０のレバー係合部１２５の上端角部１２５ａとぶつかり、逃げながら回転してゆく過程を一度に示している。
【００２６】
続いて、図１５に示した状態においてレバー１５０のレバー操作部１５２をハウジングホルダ側に押し込む。
【００２７】
図１５に示した状態においては端子同士が仮嵌合状態になっている。ここでは、レバー１５０の端子嵌合用係合部１５５とオスコネク１２０のレバー係合部１２５が係合したままとなっているので、このようなレバー操作によってレバー１５０がレバー回転軸１１５を中心として時計方向に回転するとともに、ハウジングホルダ１１０がオスコネクタ１２０のホルダ収容部内にテコの原理により更に引き込まれ、端子同士が低嵌合力で完全嵌合に至る（図１７参照）。
【００２８】
そして、図１７に示す端子完全嵌合状態に至ると同時に、レバー保持用爪１１１のレバー保持用突起部１１２が端子嵌合用係合部１５５に隣接して位置した凹み部１５８に係合してレバー１５０を第２の回転位置に保持するとともにレバー保持用爪１１１の撓みが元に戻る。
【００２９】
以上のようにして、本実施形態にかかるレバー式低嵌合コネクタ１は、ハウジングホルダ１１０をオスコネクタ１２０に挿入する前にハウジングホルダ１１０のレバー１５０やレバー保持用爪１１１に何らかの外力が加わってレバー１５０が端子完全嵌合状態である第２の回転位置まで回転してしまっていても、ハウジングホルダ１１０をオスコネクタ１２０にそのまま挿入していくことで、この挿入過程においてレバー１５０を端子仮嵌合状態である第１の回転位置まで強制的に戻すことができる。これによって、第１の回転位置まで戻したレバー１５０を再び仮嵌合状態にあるレバー１５０のレバー操作部１５２を第２の回転位置に向かって押し込むことで、テコの原理を利用して仮嵌合状態にあるハウジングホルダ１１０を更にオスコネクタ１２０の内部に押し込むことができ、仮嵌合状態にある端子を低嵌合力で完全嵌合に導くことができる。従って、関連技術で説明したレバー式低嵌合コネクタ２のように、レバー２５０が第２の回転位置になったままハウジングホルダ２１０をオスコネクタ２２０に挿入不能となった場合に、ハウジングホルダ２１０をオスコネクタ２２０から再び引き出してレバー２５０の位置を再び第１の回転位置まで戻すような余分な作業を必要としなくなり、コネクタ組み付け作業効率を向上させることができる。
【００３０】
なお、上述のように組み付けたレバー式低嵌合コネクタ１は、レバー１５０のレバー操作部１５２を引っ張って第１の回転位置まで戻しながらハウジングホルダ１１０をオスコネクタ１２０から引き抜くことによって完全嵌合状態にある端子を再び仮嵌合状態まで戻すことができ、更にハウジングホルダ１１０をオスコネクタ１２０から引き離すことによって端子同士の接続を解除することが可能である。
【００３１】
なお、上述した実施形態にかかるレバー式低嵌合コネクタ１のハウジングホルダ１１０は、２つの単層のコネクタハウジングと１つの積層コネクタハウジングを収容するタイプのハウジングホルダであったが、必ずしもこのような形状及びハウジング収容能力を有するものに本発明におけるハウジングホルダが限定されるものでないことは言うまでもない。
【００３２】
また、上述の実施形態中、レバー１５０は、ハウジングホルダ内部のレバー収容部に収容されていたが、このような位置に収容されていなくてもレバーの適所にレバー戻し部用滑り部が形成されるとともにオスコネクタの適所にレバー係合部の上端角部が形成されていれば本発明の効果を奏することができる。
【００３３】
また、上述した実施形態において相手側端子収容ホルダはオスコネクタとして記載したが、必ずしもこれに限定されず、ハウジングが複数のオス端子を並列収容するようになっており、かつ相手側端子収容ホルダがメスコネクタをホルダ底部に有してこのメスコネクタが基板や電線に接続されるように構成されていても構わない。
【００３４】
また、上述した各構成要素の材質名は例示的に記載したものであって必ずしもこれに限定されるものではない。
【００３５】
以上のように、本実施形態にかかるレバー式低嵌合コネクタは、レバーが端子完全嵌合状態である第２の回転位置まで予め回転してしまっていても、これを相手側端子ホルダであるオスコネクタに挿入することにより、レバーを第２の回転位置から初期状態である第１の回転位置まで強制的に立ち上げた後レバーを再び倒して端子嵌合作業を行うようにすることで、コネクタ組み付け作業性を向上させることが可能となる。
【図面の簡単な説明】
【００３６】
【図１】本発明の一実施形態にかかるレバー式低嵌合コネクタのハウジングホルダの斜視図である。
【図２】図１に示したハウジングホルダの一部を取り除いてレバーとハウジングホルダの係り具合を示す斜視図である。
【図３】図２の二点鎖線で示す円の部分を拡大して示す斜視図である。
【図４】本発明の一実施形態にかかるレバー式低嵌合コネクタの相手側端子ホルダであるオスコネクタを示す斜視図である。
【図５】図４に示すオスコネクタの一部を取り除いて示す斜視図である。
【図６】本実施形態に係るレバー式低嵌合コネクタのハウジングホルダをそのレバーが端子完全嵌合位置である第２の回転位置にあるままオスコネクタに対して挿入開始した状態を示す断面図である。
【図７】図６に示したレバー式低嵌合コネクタのハウジングホルダをオスコネクタに更に挿入した状態を示す断面図である。
【図８】図７の一部を拡大して示す断面図である。
【図９】図８のレバー戻し用滑り部とオスコネクタのレバー係合部との接触状態を示す拡大図である。
【図１０】図６に示したレバー式低嵌合コネクタのハウジングホルダをオスコネクタに更に挿入することでレバーが初期状態に向かって回転開始した状態を示す断面図である。
【図１１】図１０の一部を拡大して示す断面図である。
【図１２】図１０に示したレバー式低嵌合コネクタのハウジングホルダをオスコネクタに更に挿入することでレバーが初期状態である第１の回転位置に向かって更に回転した状態を示す断面図である。
【図１３】図１２の一部を拡大して示す断面図である。
【図１４】図１２に示すレバー式低嵌合コネクタのハウジングホルダをオスコネクタに更に挿入することでレバーの端子嵌合用係合部がハウジングホルダのレバー係合部に係合した状態を示す断面図である。
【図１５】図１４の二点鎖線で示す円の部分を拡大して示す断面図である。
【図１６】図６乃至図１５に示すレバー戻し用滑り部とオスコネクタのレバー係合部との相対関係を重ねて示す説明図である。
【図１７】図１４に示したレバーの端子嵌合用係合部がオスコネクタのレバー係合部に係合した状態からレバーを操作して端子同士を完全嵌合させた状態を示す断面図である。
【図１８】本発明の関連技術に係るレバー式低嵌合コネクタのレバーが端子完全嵌合位置のままハウジングホルダをオスコネクタに挿入し始めた状態を示す断面図である。
【図１９】図１８に示したレバー式低嵌合コネクタのハウジングホルダをオスコネクタに更に挿入した状態を示す断面図である。
【図２０】図１９の一部を拡大して示す断面図である。
【符号の説明】
【００３７】
１，２    レバー式低嵌合コネクタ
１１０    ハウジングホルダ
１１０ａ，１１０ｂ    単層コネクタハウジング収容部
１１０ｃ    積層コネクタハウジング収容部
１１０ｄ    レバー収容用壁部
１１１    レバー保持用爪
１１２    レバー保持用突起部
１１３    レバー保持解除用凸部
１１５    レバー回転軸
１２０    オスコネクタ
１２１，１２２    ハウジングホルダ収容部
１２３    ハウジングホルダ誤挿入防止リブ
１２５    レバー係合部
１２５ａ    上端角部（レバー戻し部）
１５０    レバー
１５１    レバー本体
１５２    レバー操作部
１５３    回転中心孔
１５５    端子嵌合用係合部
１５６    突出部
１５７    レバー戻し用滑り部（レバー戻し部）
１５８    凹み部
２１０    ハウジングホルダ
２１５    レバー係合部
２２０    オスコネクタ
２２５    レバー係合部
２５０    レバー
２５１    底部
２５５    端子嵌合用係合部
【図１】
2007066816.tif 000003
【図２】
2007066816.tif 000004
【図３】
2007066816.tif 000005
【図４】
2007066816.tif 000006
【図５】
2007066816.tif 000007
【図６】
2007066816.tif 000008
【図７】
2007066816.tif 000009
【図８】
2007066816.tif 000010
【図９】
2007066816.tif 000011
【図１０】
2007066816.tif 000012
【図１１】
2007066816.tif 000013
【図１２】
2007066816.tif 000014
【図１３】
2007066816.tif 000015
【図１４】
2007066816.tif 000016
【図１５】
2007066816.tif 000017
【図１６】
2007066816.tif 000018
【図１７】
2007066816.tif 000019
【図１８】
2007066816.tif 000020
【図１９】
2007066816.tif 000021
【図２０】
2007066816.tif 000022